(57)【要約】【課題】１回の操作、設定にて同一原稿を複数の変倍率にて出力することが可能な画像形成装置を提供すること。【解決手段】前記操作部より変倍率と、その変倍率時に必要な出力枚数の設定を行う。この時、出力を行いたい分の変倍率の設定を行い（Ｓ１０）、入力項目を保存する。そして設定された情報により、原稿の読取を行う（Ｓ１３）。設定された変倍率が複数に及ぶ場合は、その都度設定された変倍率に最適な走査線幅にて原稿を再度読取、読取った原稿を画像データとして、記憶装置へ格納する。その後、全ての処理を終了し、最初からの設定を行うよう指示を行う。原稿を再度読み込む方法としては、原稿を前記原稿搬送部にて前記スキャナー上を往復させ再度読み込ませる。全ての設定された変倍率にて読込が終了した場合（Ｓ１４；Ｙ）、その画像データを設定された枚数分出力を行う（Ｓ１５）。【選択図】  図２
2004228950.tif 000002
【特許請求の範囲】
【請求項１】
原稿を画像データとして読み取る読取手段と、
この読取手段で読み取った画像データを格納する記憶手段と、
この記憶手段に格納された画像データに拡大・縮小・等倍などの所定の画像編集処理を加える画像処理手段と、
この画像処理手段により画像処理が加えられた画像データを記録紙に画像形成する画像形成手段と、
前記読取手段に原稿を読み込ませるために原稿を移動させる原稿搬送手段と、
前記画像処理手段による処理に関する指定を受け付ける操作部と、を備え、
前記操作部より指定された拡大・縮小・等倍の編集処理方法毎に、前記原稿搬送手段にて原稿を往復させ指定された編集処理方法に最適な一次変倍にて前記記憶手段へ格納し、前記画像形成手段にて出力を行うことを特徴とする画像形成装置。
【請求項２】
各編集処理方法毎に前記操作部にて出力枚数を指定できることを特徴とする請求項１記載の画像形成装置。
【請求項３】
前記操作部にて複数の編集処理方法が指定された場合、各編集処理方法の出力する順番を前記操作部にて指定できることを特徴とする請求項１または請求項２記載の画像形成装置。
【発明の詳細な説明】
【０００１】
【発明の属する技術分野】
本発明は、１回の操作にて複数サイズの複写が容易に行え、各出力サイズに最適な状態（必要な画像密度にて）原稿を出力することができる画像形成装置に関する。
【０００２】
【従来の技術】
複写機などの画像形成装置において、出力する際、ユーザーの希望に応じて画像を拡大・縮小する技術が普及している。
【特許文献１】
特許第３０９８２４６号
この特許文献１記載の技術では、原稿を画像データとして記憶装置等に読み取り、それより変倍して出力することができるという機構が存在している。
【０００３】
【発明が解決しようとする課題】
ところで、同一原稿を複数サイズにて複数枚、複写する場合、希望する変倍率毎に原稿を読み込ませなければならない。また、その都度枚数設定を行わなければいけないなどの操作も発生していた。
このような操作を省くために、一度読み込んだ画像データを記憶装置上などに格納し、再コピー等の二次変倍にて該当の原稿を変倍する場合、記憶装置上には前回読み込んだ一次変倍時の画像情報を格納しているため、その出力時に、したい変倍に見合った解像度が得られているとは限らない。
例えば、現在記憶装置上に格納されている画像データを大幅に拡大し出力させようとすると、走査線幅が大幅に広がってしまい出力された画像は荒くなってしまう。逆に縮小する場合は走査線幅が狭まってしまい、画像が潰れて出力される。
一般的に記憶装置上に格納された画像データを二次変倍にて縮小・拡大にて出力できるサイズは原稿の±１０％とされている。それ以上又は以下の場合、出力された原稿の鮮明度は保証されない。
そこで、本発明の目的は、１回の操作、設定にて同一原稿を複数の変倍率にて出力することが可能な画像形成装置を提供することである。
【０００４】
【課題を解決するための手段】
請求項１記載の発明では、原稿を画像データとして読み取る読取手段と、この読取手段で読み取った画像データを格納する記憶手段と、この記憶手段に格納された画像データに拡大・縮小・等倍などの所定の画像編集処理を加える画像処理手段と、この画像処理手段により画像処理が加えられた画像データを記録紙に画像形成する画像形成手段と、前記読取手段に原稿を読み込ませるために原稿を移動させる原稿搬送手段と、前記画像処理手段による処理に関する指定を受け付ける操作部と、を備え、前記操作部より指定された拡大・縮小・等倍の編集処理方法毎に、前記原稿搬送手段にて原稿を往復させ指定された編集処理方法に最適な一次変倍にて前記記憶手段へ格納し、前記画像形成手段にて出力を行うことにより、前記目的を達成する。
【０００５】
請求項２記載の発明では、請求項１記載の発明において、各編集処理方法毎に前記操作部にて出力枚数を指定できることを特徴とする。
【０００６】
請求項３記載の発明では、請求項１または請求項２記載の発明において、前記操作部にて複数の編集処理方法を指定された場合、各編集処理方法の出力する順番を前記操作部にて指定できることを特徴とする。
【０００７】
【発明の実施の形態】
以下、本発明の好適な実施の形態について、図１および図２を参照して詳細に説明する。
まず、図１を参照してデジタル複写装置３００の概略動作を説明する。
はじめに、図示しない操作部のスタートキーが押下されると、自動原稿送り装置２００にある原稿台上に、原稿の画像面を上にして置かれた原稿束は、読取ユニット５０に送られる。
そして、読取ユニット５０において原稿の読み取り処理が実行され、原稿は原稿画像として電気的に読み取られる。原稿の読み取り処理が終了した後、原稿は、そのまま自動原稿送り装置２００によって原稿排出トレイに排出される。
【０００８】
次に、デジタル複写装置において実行される印刷処理について説明する。
まず、第１トレイ８、第２トレイ９、第３トレイ１０に積載された転写紙は、それぞれ、第１給紙ユニット１１、第２給紙ユニット１２、第３給紙ユニット１３によって給紙され、縦搬送ユニット１４によって感光体１５に当接する位置まで搬送される。
次に、読み取りユニット５０にて読み込まれた画像データは、書き込みユニット５７から照射されるレーザによって感光体１５に書き込まれ、現像ユニット２７を通過することによってトナー像が形成される。そして、転写紙は、搬送ベルト１６によって搬送され、感光体１５上に形成されたトナー像が転写される。
【０００９】
トナー像が転写された後、転写紙は、定着ユニット１７において画像を定着させ、排紙ユニット１８によって後処理装置のフィニシャ１００に排出される。
このフィニシャ１００は、排紙ユニット１８から排出された転写紙を、通常の排紙トレイであるスタッカトレイ１０４へ搬送するスタッカ排紙ローラ１０３の方向あるいは、ステープルトレイ１０８へ搬送するステープル排紙ローラ１０７の方向に導くことができる。これらの排紙トレイの切り替えは、分岐偏向板１０１を用いて行うことができる。
【００１０】
ステープルトレイ１０８は、ステープル処理（１部ずつステープルで綴じる）を必要とする転写紙が排紙されるトレイである。ステープルトレイ１０８では、転写紙が１枚排紙されるごとに紙揃え用の落下ストッパ１０９によって揃えられ、さらに、印刷処理が一部完了するごとに、ステープラ１０６によって綴じられる。そして、ステープラ１０６で綴じられた転写紙群は、自重によって落下トレイ１１０に収納される。
一方、スタッカトレイ１０４は、前後に移動可能な排紙トレイである。このスタッカトレイ１０４は、原稿ごと、あるいは、画像メモリによってソーティングされたコピー部ごとに、前後に移動し、簡易的に排出されてくるコピー紙を仕分けるものである。
【００１１】
次に、転写紙の両面に画像を印刷する場合の処理方法について説明する。
まず、各給紙トレイ８〜１０から給紙され作像された転写紙を、一旦、両面給紙ユニット１１１にストックする。なお、転写紙の両面給紙ユニット１１１への経路の切り替えは、分岐爪１１２を上側にセットすることで可能になる。
そして、両面給紙ユニット１１１にストックされた転写紙は、再度、感光体１５に作像されたトナー画像を転写するために、両面給紙ユニット１１１から給紙される。
次に、分岐爪１１２を下側にセットし、転写紙の経路をスタッカトレイ１０４へ切り替え、転写紙をスタッカトレイ１０４排出する。
このようにして、両面給紙ユニット１１１を用いることにより転写紙の両面に画像を印刷することができる。
【００１２】
次に、読み取りユニット５０で実行される原稿の読み取り処理の動作について説明する。
読み取りユニット５０は、原稿を載置するコンタクトガラス６および光学走査系から構成されている。
この光学走査系には、露光ランプ５１、第１ミラー５２、レンズ５３、ＣＣＤセンサ５４を備えている。
露光ランプ５１および第１ミラー５２は、図示しない第１キャリッジ上に固定され、第２ミラー５５および第３ミラー５６は、図示しない第２キャリッジ上に固定されている。
【００１３】
原稿の読み取り処理を実行する方法には、原稿をコンタクトガラス６上において、光学走査系を移動させて読み取る方法と、光学走査系を読取位置に固定し、原稿を移動させて読み取る方法の２通りある。
光学走査系を移動させて原稿画像を読み取る方法では、光路長が変わらないように、第１キャリッジ第２キャリッジとが２対１の相対速度で機械的に走査されるようになっている。なお、この光学走査系は、図示しないスキャナ駆動モータにて駆動される。
一方、原稿を移動させて原稿像を読み取る方法では、光学走査系を固定読取位置に移動させた状態で原稿画像が読み取られる。
どちらの読み取り方法においても、原稿画像はＣＣＤセンサ５４によって読み取られ、電気信号に変換されて処理される。
【００１４】
次に、書き込みユニット５７で実行される原稿の書き込み処理の動作について説明する。
書き込みユニット５７は、レーザ出力ユニット５８、結像レンズ５９、ミラー６０から構成されている。レーザ出力ユニット５８の内部には、レーザ光源であるレーザダイオードおよびモータによって高速で定速回転するポリゴンミラー（回転多面鏡）が備えられている。
まず、レーザ出力ユニット５８から照射されるレーザ光は、定速回転するポリゴンミラーにより偏光された後、結像レンズ５９を通過して、ミラー６０で反射され、感光体１５上に集光結像する。
【００１５】
そして、偏光されたレーザ光は、感光体１５が回転する方向と直行する方向（主走査方向）に露光走査され、画像信号のライン単位の記録を行う。感光体１５の回転速度と記録密度に対応した所定の周期で主走査を繰り返すことによって、感光体１５面上に画像（静電潜像）が形成される。
このように、書き込みユニット５７から出力されるレーザ光が、画像作像系の感光体１５に照射される。
なお、感光体１５の一端近傍のレーザビームが照射される位置に、主走査同期信号を発生する図示しないビームセンサが配置されている。このビームセンサから発生した主走査同期信号をもとに主走査方向の画像記録の開始タイミングの制御、および後述する画像信号の入出力を行うための制御信号の生成が行われる。
【００１６】
次に、本実施例の処理手順を図２のフローチャートを参照して説明する。
まず、操作部より変倍率と、その変倍率時に必要な出力枚数の設定を行う。この時、出力を行いたい部分の変倍率の設定も行う（ステップ１０）。そして、入力項目の退避（保存）を行う。入力できる設定数は実装する複写装置３００の記憶容量に準じて設定を行う。入力項目がない場合（ステップ１１；Ｙ）、次ステップへ進む。
【００１７】
次に、その設定内容の確認画面を出力し、出力を行う順番に変更した後、必要がない設定の削除を行う（ステップ１２）。設定内容に問題がなければ、次ステップへ移行する。
そして、設定された情報に基づき、原稿の読み取りを行う（ステップ１３）。設定された変倍率が複数に及ぶ場合は、その都度設定された変倍率に最適な走査線幅にて原稿を再度読み取り、その読み取った原稿を画像データとして、記憶装置へ格納する。
ここで、画像データを読み込み中に記憶装置の容量が足りなくなった場合は、実装する複写装置３００にて以下の処理を行う。まず、記憶装置に空き容量ができるまで読み込みを待機し、そして、容量が最大になる前の画像データまでを有効とし、それ以降の画像データを破棄し、処理を継続する。その後、全ての処理を終了し、最初からの設定を行うよう指示する。
【００１８】
原稿を再度読み込む方法としては、原稿を原稿搬送部にて前記スキャナー上を往復させ再度読み込ませる。全ての設定された変倍率にて読み込みが終了した場合（ステップ１４；Ｙ）、その画像データを設定された枚数分前記プリンタにて出力を行う（ステップ１５）。すべての出力が終了したら（ステップ１６；Ｙ）、処理を終了する。
【００１９】
【発明の効果】
請求項１記載の発明では、１回の操作にて複数サイズの複写が容易に行えるため、複数回に及ぶ無駄な操作が省け、且つ各変倍毎に原稿を読み込むので、各出力サイズに最適な状態（必要な画像密度にて）原稿を出力することができる。
請求項２記載の発明では、１回の操作により、複数サイズの複写にて複数枚の原稿が容易に取得でき、複数回に及ぶ無駄な操作が省くことができる。
請求項３記載の発明では、１回の操作により、複数サイズの複写にて出力を行う際、複数の原稿より出力したい順番で変倍した原稿を取り出すことができる。
【図面の簡単な説明】
【図１】本実施例に係る画像形成装置の外観構成を示した図である。
【図２】本実施例の処理手順を示したフローチャートである。
【符号の説明】
１１    第１給紙止ユニット
１２    第２給紙止ユニット
１３    第３給紙止ユニット
１４    縦搬送ユニット
１５    感光体
２７    現像ユニット
５７    書き込みユニット
５０    読み取りユニット
２００  原稿自動送り装置
３００  複写装置
【図１】
2004228950.tif 000003
【図２】
2004228950.tif 000004